(57)【要約】【課題】  従来のディスク収納マガジンでは、複数個のトレイがケース内に収納されたとき各トレイ間でがたつき音（ラットルノイズ）が生じていた。このがたつきを防止するために、トレイとケースとの間に弾圧部材を設けると、トレイの引き出し時の負荷が大きくなる。【解決手段】  トレイＴに弾性片２３が設けられ、その上に位置するトレイＴには前記弾性片２３の突出部２３ａに対向する部分に加圧部２４が形成されている。ケース３０内にトレイＴが重ねられて収納されると、突出部２３ａと加圧部２４との弾圧により弾性片２３が変形し、トレイＴ内でディスクＤが加圧される。同時に、トレイとトレイが前記弾性片２３の弾圧力により互いに拘束しあい、トレイＴのがたつきが防止される。トレイＴが引き出されると、突出部２３ａが加圧部２４から直ちにはずれ、その後はトレイＴが負荷を受けることなく引き出される。【選択図】    図４
2007265619.tif 000002
【特許請求の範囲】
【請求項１】
筐体内に、マガジンの設置領域と、前記マガジンから引き出されたディスクを回転駆動する回転駆動手段と、が設けられ、前記マガジンは、前記ケースに引き出し自在に収納された複数のトレイにディスクが載置されたものであるディスク選択式ディスク装置において、
前記トレイには弾性片が設けられており、前記トレイがケース内に収納されたときに、前記弾性片を加圧する加圧部が設けられており、加圧された前記弾性片によりトレイ内でディスクが加圧されて拘束され、前記トレイが前記ケースから引き出されるときに、前記弾性片の前記加圧が解除されて、ディスクへの前記拘束が解除されることを特徴とするディスク選択式ディスク装置。
【請求項２】
前記加圧部は、ケース内で前記トレイの上または下に重ねられる他のトレイに設けられており、ケース内でトレイが重ねられているときに前記弾性片と前記加圧部とが弾圧して前記ディスクが拘束され、前記ケースからトレイが引き出されて移動する途中で、前記弾性片が前記加圧部から外れて前記ディスクへの拘束が解除される請求項１記載のディスク選択式ディスク装置。
【請求項３】
前記ケースからトレイを引き出す移送手段が設けられており、ケースから引き出されたトレイに設置されたディスクが前記回転駆動手段に保持された後に、前記移送手段により前記トレイがケース内に戻されて、前記弾性片と前記加圧部とが弾圧する状態に戻される請求項１または２記載のディスク選択式ディスク装置。
【発明の詳細な説明】
【技術分野】
【０００１】
本発明は、ケース内部に、ディスクが載置される複数のトレイが引き出し自在に設けられたディスク収納マガジンが装填されるディスク選択式ディスク装置に関する。
【背景技術】
【０００２】
図７はディスクチェンジャに使用されるディスク収納マガジンの一般的な構造を示す斜視図である。
【０００３】
図７に示すディスク収納マガジン１は、ケース３内に６枚または８枚などの複数のトレイ２が積層された状態で引き出し自在に収納されており、このそれぞれのトレイ２上にディスクＤが載置されている。このディスク収納マガジン１がディスクチェンジャの機器本体内に装填されると、ケース３内のいずれか１枚のトレイ２が選択され、図示しない移送手段によりフック２ｄを介してトレイ２がケース３内から引き出される。
【０００４】
引き出されたトレイ２上のディスクＤは、図８に示すように、再生ユニットのターンテーブル４上にクランプされ、このときディスクＤはトレイ２からわずかに持ち上げられ、あるいは、ディスクＤがターンテーブル４上にクランプされた後にトレイ２がケース３内に戻される。そしてスピンドルモータ５によりターンテーブル４およびディスクＤが回転駆動され、光ピックアップ６によりディスクＤの記録音楽などの再生が行われる。
【発明の開示】
【発明が解決しようとする課題】
【０００５】
ディスク収納マガジン１では、以下の課題がある。
（１）ケース３内に複数のトレイ２が取出し自在に収納されているが、車体振動などがケース３に作用したときに、ケース内３でトレイ２ががたつきを生じ、耳障りながたつき音が発生する。そこで、従来は、個々のトレイ２の縁部に板ばねなどの弾圧部材が設けられ、この弾圧部材が、ケース３内に設けられた仕切り板などの摺動部に弾圧されるようにして、ケース３内でトレイ２を動かないように拘束している。
【０００６】
しかし、前記弾圧部材が設けられたものでは、トレイ２がケース３から引き出されるとき、およびトレイ２がケース３内に戻される際、常時前記弾圧部材が前記摺動部に弾圧されて摺動するため、ケース３内でトレイ２を移動させるときの負荷が大きく、トレイ２を引き出す移送手段に大きな負荷が作用する。この負荷が増大したときにトレイ２の動きが鈍くなり、トレイの引き出し不良などの誤動作が生じるおそれがある。また弾圧部材と摺動部が常に弾圧されているため、前記摺動部に摩耗が発生しやすく、その結果、さらにトレイ２の移送負荷が増大する問題がある。
【０００７】
（２）従来のディスク収納マガジン１では、前記のようにケース３内でトレイ２が弾性部材などで拘束され、ケース３内でトレイ２のがたつきが生じないようにしている。しかし、トレイ２内ではディスクＤがその厚み方向へ若干の余裕を有して載置されているため、車体振動などがケース３に作用したときに、トレイ２内でディスクＤが動いて、がたつき音を発生しやすい。前記がたつき音は音響機器として耳障りである。
【０００８】
また、ディスク収納マガジン１をディスク装置に装填するときの衝撃などが作用したときに、ケース３内に保持されているトレイ２からディスクが不用意に飛び出して、ディスク装置の動作不良を引き起こすこともある。またディスク収納マガジン１をディスク装置から取出して、ケース３を傾けたときに、トレイ２上の載置部からディスクＤが脱落するおそれもある。
【０００９】
本発明は上記従来の課題を解決するものであり、ケース内でトレイをがたつくことなく保持でき、しかもケース内でトレイが動くときの負荷を小さくでき、またトレイが移動するときの摩耗箇所を少なくできるディスク選択式ディスク装置を提供することを目的としている。
【００１０】
また本発明は、ケースに振動が作用したときにトレイ内でディスクががたつくことがなく、またケース内のトレイからディスクが不用意に離脱しないようにしたディスク選択式ディスク装置を提供することを目的としている。
【課題を解決するための手段】
【００１１】
本発明は、筐体内に、マガジンの設置領域と、前記マガジンから引き出されたディスクを回転駆動する回転駆動手段と、が設けられ、前記マガジンは、前記ケースに引き出し自在に収納された複数のトレイにディスクが載置されたものであるディスク選択式ディスク装置において、
前記トレイには弾性片が設けられており、前記トレイがケース内に収納されたときに、前記弾性片を加圧する加圧部が設けられており、加圧された前記弾性片によりトレイ内でディスクが加圧されて拘束され、前記トレイが前記ケースから引き出されるときに、前記弾性片の前記加圧が解除されて、ディスクへの前記拘束が解除されることを特徴とするものである。
【００１２】
本発明では、トレイがケース内に収納されているときに、トレイに設けられた弾性片でディスクが加圧され、ディスクがトレイ内でがたつくことなく保持される。またディスクがトレイ内から不用意に飛び出すことも有効に防止できる。
【００１３】
例えば、前記加圧部は、ケース内で前記トレイの上または下に重ねられる他のトレイに設けられており、ケース内でトレイが重ねられているときに前記弾性片と前記加圧部とが弾圧して前記ディスクが拘束され、前記ケースからトレイが引き出されて移動する途中で、前記弾性片が前記加圧部から外れて前記ディスクへの拘束が解除されるものとなる。
【００１４】
ただし、本発明では、ケース内の内壁や仕切り板などに設けられた加圧部によって前記弾性片が加圧され、その結果弾性片でディスクが加圧されるものであってもよい。ただし、トレイに加圧部を設けておくと、ケース内において前記弾性片と加圧部とで、トレイどうしを拘束することができる。
【００１５】
また、例えば、前記ケースからトレイを引き出す移送手段が設けられており、ケースから引き出されたトレイに設置されたディスクが前記回転駆動手段に保持された後に、前記移送手段により前記トレイがケース内に戻されて、前記弾性片と前記加圧部とが弾圧する状態に戻されるものとして構成できる。
【００１６】
本発明では、トレイがケース内から引き出されるときに、弾性片と加圧部とが外れて、弾性片によるディスクの拘束が解除される。よってディスクが回転駆動装置に保持される時点で、前記弾性片がディスクを加圧していないため、ディスクが回転駆動装置に保持された後に、トレイを小さい負荷でケースに戻すことができる。
【００１７】
また本発明は、トレイがケースから突出したままの状態で、ディスクが回転駆動装置に保持され、トレイが突出したままディスクが回転駆動されるものであってもよい。この場合もトレイが突出した時点で、弾性片によるディスクの拘束が解除されているため、トレイ内でディスクを回転駆動することが可能である。
【発明の効果】
【００１８】
本発明では、トレイに設けられた弾性片が加圧部に加圧されてトレイ内のディスクが加圧されるため、トレイ内でのディスクのがたつきを防止できる。またトレイがマガジン内から突出したときに前記弾性片の加圧を解除しているため、ディスクが回転駆動装置で保持された後のトレイの復帰動作などが容易である。
【発明を実施するための最良の形態】
【００１９】
図１は、本発明のディスク選択式ディスク装置の主要部の構造を示す側面図、図２は、図１に示すディスク収納マガジンのＩＩ−ＩＩ方向から見た底面断面図、図３はトレイのみを図２と同じ方向から見た底面図、図４は図１に示すディスク収納マガジンを示すＩＶ−ＩＶ線の断面図、図５は図２のＶ−Ｖ線の断面図である。
【００２０】
図１に示すディスク選択式ディスク装置は、筐体１０内に、ディスク収納マガジンＭの設置領域１１と、ディスク駆動領域１２とが形成されている。マガジンＭは、図１の紙面直交方向の手前側から筐体１０内の前記設置領域１１へ装填される。マガジンＭ内には、複数枚のトレイＴが重ねられた状態で且つそれぞれが引き出し自在に収納されている。そして個々のトレイＴにＣＤ、ＤＶＤ、ＣＤ−ＲＯＭなどのディスクＤが保持可能とされている。
【００２１】
前記ディスク駆動領域１２には、ディスク駆動ユニット１３が設けられている。このディスク駆動ユニット１３は、マガジンＭ内のトレイＴの並び方向（Ｚ１−Ｚ２方向）へ昇降自在であり、この昇降動作により前記マガジンＭ内のいずれかのトレイＴが選択される。
【００２２】
前記ディスク駆動ユニット１３には、スピンドルモータ１４およびこのスピンドルモータ１４により回転駆動されるターンテーブル（回転駆動装置）１５が搭載されており、またディスクＤの中心をターンテーブル１５に押圧するクランパ１６が設けられている。また、ディスク駆動ユニット１３内には、光ヘッド１７が設けられている。さらに、ディスク駆動ユニット１３には、選択されたトレイＴをＸ１方向へ引き出し、またＸ２方向へ戻す移送手段としての移送部材１８が設けられている。この移送部材１８は、ディスク駆動ユニット１３に搭載された機構によりＸ１−Ｘ２方向へ駆動される。
【００２３】
図３は前記トレイＴを下方向から見た底面図である。
このトレイＴは合成樹脂材料により射出成形されたものである。トレイＴは上面板２０を有しており、この上面板２０から下方向（図３の紙面手前方向）へリブ状に突出した側壁２１が一体に形成されている。トレイＴの収納方向（Ｘ２方向）側では、前記側壁２１がディスクＤの直径よりもわずかに大きい内径寸法の半環状部２１ａとなっており、また図３の左右両側方では、前記側壁２１が平行部２１ｂ，２１ｂとなっている。
【００２４】
前記側壁２１の平行部２１ｂ，２１ｂから前記半環状部２１ａにかけて、前記側壁２１の下縁（図３の紙面手前側の縁）から左右方向の中心に向けて所定幅の支持片２２，２２が一体に形成されている。ディスクＤは側壁２１で囲まれた領域に収納され、図４に示すように、ディスクＤの縁部Ｄ１は、前記上面板２０と前記支持片２２，２２との間に保持される。前記上面板２０と前記支持片２２，２２との対向間隔Ｈ１は、ディスクＤの板厚寸法よりもやや広めに形成されている。
【００２５】
前記側壁２１の平行部２１ｂ，２１ｂの内面には抜け止め部材となる板ばね２９，２９が取付けられている。この板ばね２９，２９はトレイＴの中心方向へ向けてＶ字形状に突出するように取付けられている。上面板２０と支持片２２，２２との間からＸ２方向へ挿入されたディスクＤは、その縁部Ｄ１が前記半環状部２１ａに当たる位置に設置されるが、前記板ばね２９，２９は前記ディスクＤの縁部Ｄ１にＸ１側に対向してこの縁部Ｄ１をわずかにＸ２方向へ弾圧し、ディスクＤがトレイＴから容易に離脱しないように保持される。
【００２６】
またディスクＤは、前記側壁２１の平行部２１ｂと平行部２１ｂとの間を通過して、トレイからＸ１方向へ抜き出すことが可能である。このとき、前記板ばね２９，２９が変形して前記抜き出しが可能となる。
【００２７】
図３に示すように、前記上面板２０のＸ１側の縁部にはＸ２に入り込む凹部２０ａが形成されている。前記半環状部２１ａにディスクＤが設置されたときにディスクＤの中心穴Ｄ２は、前記凹部２０ａ内に現れている。
【００２８】
上面板２０のＸ１側の左右両側部には、弾性片２３，２３が一体に形成されている。弾性片２３，２３は前記上面板２０の一部を切欠きで分離することにより梁状に形成されたものであり、外力が作用しない状態では、前記弾性片２３，２３は前記上面板２０と同一面上に延びている。よって、前記自由状態の弾性片２３，２３は、トレイＴ内のディスクＤを押圧することがない。図４にも示すように、前記弾性片２３，２３の先部には、前記上面板２０よりも上方へ突出する突出部２３ａ，２３ａが一体に形成されている。
【００２９】
また、トレイＴの左右両側部に形成されている前記支持片２２，２２の一部がトレイＴの中心側へ凸状に形成されて、この凸状部分が加圧部２４，２４となっている。前記加圧部２４，２４は、前記弾性片２３，２３の先部に対向する位置に形成されている。
【００３０】
また、前記上面板２０のＸ２側の左右両側部には、他の弾性片２５，２５が形成されている。この弾性片２５，２５も上面板２０の一部が切欠きで分離されることにより梁状に形成されたものである。図５にも示すように、前記弾性片２５，２５の先部２５ａ，２５ａは下方（Ｚ２方向）へ変形させられている。よって、前記半環状部２１ａの内側にディスクＤが挿入されているときは、常に前記弾性片２５，２５の先部２５ａ，２５ａによってディスクＤの縁部Ｄ１が弾圧されている。
【００３１】
またトレイＴのＸ２方向の奥側の一側部には、Ｘ２方向へ突出する保持突起２６が一体に形成されている。さらにトレイＴのＸ１側端部の一側部には、前記移送部材１８が係合するフック２７が形成されている。
【００３２】
図１に示すように、ディスク収納マガジンＭのケース３０は、天井板３１と底板３２と、両側板３３，３３と、奥板３４を有する箱状であり、Ｘ１側にトレイＴを引き出すための開口部３８が形成されている。
【００３３】
図４に示すように、前記ケース３０の左右両側板３３，３３の内面には、所定幅の仕切り板３５がＸ方向に延びて形成されている。前記仕切り板３５は、高さ方向（Ｚ方向）へ間隔を開けて複数段に設けられており、各トレイＴの両側部２０ｂ，２０ｂは、前記仕切り板３５と３５との間に差し込まれて、ケース３０内においてＸ１−Ｘ２方向へ摺動自在に収納されている。なお、仕切り板３５と３５との対向間隔Ｈ２は、トレイＴの厚さ寸法よりも若干広く形成されており、仕切り板３５と３５との間に差し込まれたトレイＴは上下方向へ若干の移動がたを生じるようになっている。
【００３４】
図２に示すように、ケース３０の奥板３４の内側にも仕切り板３６が設けられており、この仕切り板３６は、図４に示す仕切り板３５と同じ間隔で形成されており、ケース３０内に収納されたトレイＴのＸ２側の端部は、仕切り板３６と仕切り板３６との間に差し込まれるようになっている。
【００３５】
また前記奥板３４の内面の一側部にはΩ形状に形成された板ばね３７が設けられている。この板ばね３７は、複数の各トレイＴに対応して複数独立して変形できるように形成されており、トレイＴがケース３０内に挿入されたときに、トレイＴの前記保持突起２６が前記板ばね３７に保持されるようになっている。
【００３６】
前記ディスク収納マガジンＭにディスクＤを収納する操作は、個々のトレイＴをケース３０から取出し、トレイＴの上面板２０と支持片２２，２２との間に、ディスクＤをＸ２方向へ挿入する。この挿入の際に、側壁２１の平行部２１ｂ，２１ｂの内側に設けられた板ばね２９，２９が変形し、ディスクＤの縁部Ｄ１が半環状部２１ａに当たる位置へ挿入されると、板ばね２９，２９がディスクＤの縁部Ｄ１に対してＸ１から対向して縁部Ｄ１をわずかに弾圧する。さらにディスクＤのＸ２側の縁部は、図５に示すように、トレイＴの上面板２０の奥側に設けられた弾性片２５，２５の先部２５ａ，２５ａにより弾性的に加圧される。よって、ディスクＤは前記板ばね２９，２９と前記弾性片２５，２５によりトレイＴ内で保持される。
【００３７】
ディスクＤを保持したトレイＴを、ケース３０の仕切り板３５と３５との間に差し込んで奥まで挿入すると、トレイＴに形成された保持突起２６が、板ばね３７に保持され、各トレイＴがケース３０内に収納された状態で保持される。
【００３８】
各トレイＴがケース３０内に重ねられて収納されると、図４に示すように、個々のトレイＴの上面板２０のＸ１側に形成された弾性片２３，２３の突出部２３ａ，２３ａが、その上に位置するトレイＴの加圧部２４，２４に当たって、弾性片２３，２３が下方（Ｚ２方向）へ変形させられ、図４に示すように、ディスクＤのＸ１側の縁部Ｄ１が前記弾性片２３，２３により下向きに加圧される。
【００３９】
よって、ケース３０内に各トレイＴが収納された時点で、トレイＴに設置されたディスクＤは、ケース３０の開口部３８側（Ｘ１側）において、前記加圧部２４，２４によって変形させられた弾性片２３，２３により縁部Ｄ１が加圧され、ケース３０の奥側（Ｘ２側）においては、予め変形させられている前記弾性片２５，２５により加圧される。またディスクＤの左右両側部は、前記板ばね２９，２９によって拘束される。したがって、トレイＴ内においてディスクＤが上下および左右方向へがたつきを生じることなくしっかり保持される。
【００４０】
また、ケース３０内に収納された各トレイＴは、弾性片２３，２３が、その上に位置するトレイＴの加圧部２４，２４に弾圧された状態になる。そのため、弾性片２３，２３の弾性加圧力およびその反作用により、トレイＴどうしが互いにＺ１−Ｚ２方向へ反発しあい、その結果、ケース３０内で各トレイＴが互いに拘束しあって、ケース３０内でのトレイＴのがたつきが防止される。
【００４１】
前記ディスク収納マガジンＭが筐体１０内に装填された状態で、車体振動が作用した場合であっても、ケース３０内で各トレイＴが動くことがなく、またトレイＴ内でディスクＤが拘束されているため、トレイＴのがたつき音やディスクＤのがたつき音が生じない。また、衝撃力が与えられたときに、トレイＴからディスクＤが不用意に飛び出ることも防止できる。
【００４２】
いずれかのディスクＤを選択して再生または記録を行うときには、図１に示すディスク駆動ユニット１３がＺ１−Ｚ２方向へ移動して、マガジンＭ内のいずれかのトレイＴが選択される。すなわち、前記ディスク駆動ユニット１３の昇降動作と共に移送部材１８が上下に移動し、移送部材１８が選択されたトレイＴの前記フック２７内に位置したときに、ディスク駆動ユニット１３によるディスク選択動作が完了する。
【００４３】
次に、前記移送部材１８がＸ１方向へ移動して、選択されたトレイＴがケース３０内からＸ１方向へ引き出される。図２と図３に示すように、トレイＴの下部に形成された前記加圧部２４，２４は、トレイＴの移送方向であるＸ方向への幅寸法Ｗが極めて短いものであるため、トレイＴが引き出し力を受けて移動し始めた直後に、移送されるトレイＴの上面板２０に形成された弾性片２３，２３の突出部２３ａ，２３ａが、その上のトレイＴの前記加圧部２４，２４から直ちに外れる。
【００４４】
よって、トレイＴが引き出され始めた直後に、引き出されようとするトレイＴに対する弾性片２３，２３による弾圧力が解除されることになる。したがって、トレイＴは弾性片２３，２３による抵抗力を受けることなくケース３０から引き出される。よって、トレイＴを引き出すのに要する移送部材１８の負荷が小さくなり、またトレイＴは引っ掛かかりを生じることなくスムーズに引き出される。また、弾性片２３，２３の突出部２３ａ，２３ａと加圧部２４，２４とが摺動する時間がきわめてわずかであり、また前記突出部２３ａ，２３ａを球面などの滑らかな面にしておくことで、前記突出部２３ａ，２３ａや加圧部２４，２４に摩耗が生じるのを防止できる。
【００４５】
さらに、前記突出部２３ａ，２３ａが加圧部２４，２４から外れると、このとき、弾性片２３，２３は上面板２０とほぼ同一面となるように弾性復帰し、この弾性片２３，２３によるディスクＤの縁部Ｄ１への加圧力が解除される。したがって、トレイＴ内においてディスクＤのＸ１側の縁部の拘束が外れる。
【００４６】
なお、前記加圧部２４，２４のＸ方向への幅寸法Ｗは図３に示すものよりも長くてもよく、ケース３０内からトレイＴが引き出されるときに、突出部２３ａ，２３ａと加圧部２４，２４が摺動し、ある程度トレイＴが移動した後に、突出部２３ａ，２３ａが加圧部２４，２４から外れるようにしてもよい。すなわち、前記幅寸法Ｗは、移送部材１８により移送されるトレイＴがケース３０を移動する距離よりも短ければ、トレイの移送時の負荷を軽減する効果を発揮できる。ただし本発明の効果を得るためには、前記Ｗは前記トレイＴの移動距離の半分以下であることが好ましく、さらには１／４以下であることが好ましい。
【００４７】
移送部材１８によってトレイＴがケース３０内から引き出されると、ディスクＤの中心穴Ｄ２がディスク駆動ユニット１３のターンテーブル１５に嵌着され、ターンテーブル１５とクランパ１６とでディスクＤの中心部が挟持される。その直後に移送部材１８がＸ２方向へ移動し、トレイＴがケース３０内に戻される。トレイＴがケース３０内に戻されると、戻されたトレイＴの弾性片２３，２３の突出部２３ａ，２３ａが、その上のトレイＴの加圧部２４，２４に弾圧されて、ケース３０内で各トレイＴが互いに拘束しあう状態になる。よって空のトレイＴがケース３０に戻された状態で、この空のトレイＴがケース３０内でがたつくことがない。
【００４８】
トレイＴがケース３０に戻されるときに、弾性片２３，２３によるディスクＤの加圧が解除されているため、ターンテーブル１５でディスクＤが保持された後に、トレイＴがケース３０内に戻るときに、前記弾性片２３，２３がトレイＴの復帰に対して抵抗力を与えることがない。よって、トレイＴはスムーズにケース３０内に戻されることになる。
【００４９】
そして、スピンドルモータ１４によりディスクＤが回転駆動されるが、このとき図１に示すようにディスクＤの一部がケース３０内に位置したまま回転駆動され、光ヘッド１７により再生または記録が行われる。
【００５０】
なお、トレイＴがケース３０から引き出され、ディスクがターンテーブル１５で保持されたときに、トレイＴが突出したままで、ディスクが回転駆動されるものであってもよい。このとき、トレイＴの弾性片２３，２３はディスクから離れているので、弾性片２３，２３がディスクの回転を妨げることがない。
【００５１】
図６は本発明の変形例を示している。
図６では、前記弾性片２３に突出部２３ａ，２３ａが形成されておらず、その上に位置するトレイＴの加圧部２４に下向きの球面状の突出部２４ａが形成されている。そしてトレイＴがケース３０内で重ねられて収納されているときに、加圧部２４に形成された突出部２４ａと弾性片２３とが弾圧して、弾性片２３が下向きに変形させられて、ディスクの縁部が前記弾性片２３により加圧される。
【００５２】
なお、前記各実施の形態とは逆に、トレイＴの下側に弾性片が形成され、その下に位置するトレイＴの加圧部で弾性片が加圧されて、弾性片がトレイ内で上向きに変形してディスクが加圧されるものであってもよい。
【図面の簡単な説明】
【００５３】
【図１】本発明のディスク選択式ディスク装置の実施の形態を示す側面図、
【図２】図１に示すディスク収納マガジンを下側から見たＩＩ−ＩＩ線の断面図、
【図３】トレイを下側から見た底面図、
【図４】図１に示すディスク収納マガジンのＩＶ−ＩＶ線の部分断面図、
【図５】図２のＶ−Ｖ線の拡大断面図、
【図６】本発明の変形例のディスク収納マガジンを示す図４と同等の部分断面図、
【図７】従来のディスク収納マガジンの一般的な構造を示す斜視図、
【図８】従来のマガジンからトレイおよびディスクが引き出された状態を示す断面図、
【符号の説明】
【００５４】
Ｄ  ディスク
Ｍ  ディスク収納マガジン
Ｔ  トレイ
１０  筐体
１１  マガジン設置領域
１２  ディスク駆動領域
１３  ディスク駆動ユニット
１５  ターンテーブル（回転駆動装置）
１８  移送部材
２０  上面板
２１  側壁
２１ａ  半環状部
２１ｂ  平行部
２２  支持片
２３  弾性片
２３ａ  突出部
２４  加圧部
２４ａ  突出部
２５  弾性片
【図１】
2007265619.tif 000003
【図２】
2007265619.tif 000004
【図３】
2007265619.tif 000005
【図４】
2007265619.tif 000006
【図５】
2007265619.tif 000007
【図６】
2007265619.tif 000008
【図７】
2007265619.tif 000009
【図８】
2007265619.tif 000010